(57)【要約】【課題】ページメモリを備える画像処理装置において、ページメモリのクリア処理を低減する。【解決手段】画像処理装置１０内のページメモリ１２から画像データを読み出し、プリンタやコンピュータなどの外部装置２０に出力する。ページメモリクリア部は、ページメモリ１２から画像データを読み出した後のタイミングでクリアデータをページメモリ１２に書き込むことでページメモリ１２をクリアする。クリアタイミングは外部装置２０の種類に応じて設定される。また、ページメモリ１２をクリアするためのクリアデータも外部装置２０の種類に応じて設定される。【選択図】図１
2005303463.tif 000002
【特許請求の範囲】
【請求項１】
入力された画像データを記憶するページメモリと、
前記ページメモリに記憶された前記画像データを読み出して出力する手段と、
前記ページメモリにクリアデータを書き込むことにより前記ページメモリをクリアするクリア手段と、
を有する画像処理装置であって、
前記クリア手段による前記ページメモリのクリアタイミングを、前記画像データを読み出した後のタイミングであって、前記画像データを出力すべき外部装置の種類に応じた所定タイミングに設定するタイミング制御手段と、
を有することを特徴とする画像処理装置。
【請求項２】
請求項１記載の装置において、
前記タイミング制御手段は、前記クリアタイミングを前記画像データの読み出し直後のタイミングに設定することを特徴とする画像処理装置。
【請求項３】
請求項１記載の装置において、
前記タイミング制御手段は、前記クリアタイミングを前記画像データを出力すべき外部装置からの信号を入力した後に設定することを特徴とする画像処理装置。
【請求項４】
請求項１記載の装置において、
前記外部装置の種類には、少なくとも外部コンピュータと外部プリンタが含まれることを特徴とする画像処理装置。
【請求項５】
請求項１記載の装置において、さらに、
前記外部装置の種類毎の前記クリアデータを記憶する手段と、
前回の画像データ読み出し後に前記クリア手段により前記ページメモリに書き込まれた第１クリアデータが今回出力すべき外部装置の種類に合致するか否かを判定する手段と、
を有し、
前記クリア手段は、合致しないと判定された場合に前記外部装置の種類に応じた第２クリアデータを前記ページメモリへの画像データの書き込みに先だって前記ページメモリに再度書き込むことにより前記ページメモリを再度クリアすることを特徴とする画像処理装置。
【請求項６】
請求項５記載の装置において、さらに、
前記外部装置の種類に関する統計値を記憶する手段と、
を有し、前記クリア手段は、前記統計値に応じ、出力頻度の高い外部装置の種類に応じたクリアデータを前記第１クリアデータとして前記ページメモリに書き込むことを特徴とする画像処理装置。
【請求項７】
請求項５記載の装置において、さらに、
前記画像データが出力されるであろう外部装置の種類を推定する手段と、
を有し、前記クリア手段は、推定された外部装置の種類に応じたクリアデータを前記第１クリアデータとして前記ページメモリに書き込むことを特徴とする画像処理装置。
【発明の詳細な説明】
【技術分野】
【０００１】
本発明は画像処理装置、特に入力画像を記憶するページメモリの初期化あるいはクリアに関する。
【背景技術】
【０００２】
従来より、スキャナ等の画像入力装置により入力された画像データをページメモリに記憶し、適宜フィルタリング処理等の各種処理を施した後にパーソナルコンピュータやプリンタ、あるいは複合機に出力する画像処理装置が知られている。当該画像処理装置は、例えばネットワークに接続された画像サーバ内に設けられ、クライアント端末からの指示により画像データをネットワークに接続されたプリンタや他のクライアント端末、あるいは複合機に供給し、それぞれの端末に応じた出力形態で出力する。
【０００３】
ページメモリは、ドキュメント１ページ分の画像データを記憶するものであるが、新たな画像データを記憶するに際して、前回記憶された画像データが混在することを防止すべくメモリ内容をクリアする必要がある。
【０００４】
下記の特許文献１では、Ａ３の用紙に対してＡ４分の原稿を読み取ってプリンタに出力する場合等を想定し、スキャン画像のデータライン数をカウントしてページメモリに画像を書き込み、出力サイズが入力画像を越える場合には余白部分を生成すべく強制的に白データを出力することが記載されている。強制的に白データを出力することで、画像データ書き込みに先だってページメモリをクリアする必要が無くなる。
【０００５】
また、下記の特許文献２には、ページメモリアクセス毎に読み出し動作終了後において自動的にページメモリの内容をクリアすることが記載されている。
【０００６】
【特許文献１】特開平７−１０７２６２号公報
【特許文献２】特開平２−８４３５７号公報
【発明の開示】
【発明が解決しようとする課題】
【０００７】
上記特許文献１においては、ページメモリをクリアする必要はないものの、１頁に複数画像を貼り付ける場合等においては、有効画素（出力サイズにおける入力画像の存在部分）の有無を判断するための回路構成が複雑になる問題がある。
【０００８】
また、特許文献２においては、読み出し動作終了後に自動的にページメモリをクリアするため、画像書き込みに先だってページメモリをクリアする時間を省くことができるが、処理内容に応じてページメモリに格納すべき色フォーマットが異なる場合に対応出来ない問題がある。すなわち、ページメモリに記憶された画像データをプリンタに出力して印刷する場合、ページメモリには色データとして例えばシアン（Ｃ）、マゼンダ（Ｍ）、イエロー（Ｙ）、ブラック（Ｋ）の各色データが格納されるところ、仮に出力装置としてコンピュータのディスプレイが想定されており、このため画像データの読み出し動作終了後にＲ、Ｇ、Ｂ色データにおける黒データでページメモリをクリアしたのでは、プリンタに出力できない問題があった。
【０００９】
本発明の目的は、ページメモリのメモリクリアに要する時間を削減しつつ、多様な出力形態にも対応し得る画像処理装置を提供することにある。
【課題を解決するための手段】
【００１０】
本発明は、入力された画像データを記憶するページメモリと、前記ページメモリに記憶された前記画像データを読み出して出力する手段と、前記ページメモリにクリアデータを書き込むことにより前記ページメモリをクリアするクリア手段とを有する画像処理装置であって、前記クリア手段による前記ページメモリのクリアタイミングを、前記画像データを読み出した後のタイミングであって、前記画像データを出力すべき外部装置の種類に応じた所定タイミングに設定するタイミング制御手段とを有する。
【００１１】
本発明において、前記タイミング制御手段は、前記クリアタイミングを前記画像データの読み出し直後のタイミング、あるいは前記画像データを出力すべき外部装置からの信号を入力した後のいずれかに設定することができる。
【００１２】
また、本発明において、前記外部装置の種類毎の前記クリアデータを記憶する手段と、前回の画像データ読み出し後に前記クリア手段により前記ページメモリに書き込まれた第１クリアデータが今回出力すべき外部装置の種類に合致するか否かを判定する手段とを有し、前記クリア手段は、合致しないと判定された場合に前記外部装置の種類に応じた第２クリアデータを前記ページメモリへの画像データの書き込みに先だって前記ページメモリに再度書き込むことにより前記ページメモリを再度クリアする。
【００１３】
本発明の１つの実施形態では、前記外部装置の種類に関する統計値を記憶する手段を有し、前記クリア手段は、前記統計値に応じ、出力頻度の高い外部装置の種類に応じたクリアデータを前記第１クリアデータとして前記ページメモリに書き込む。
【００１４】
本発明では、画像データ読み出し後にページメモリの内容をクリアすることを基本としつつ、一律に画像データの読み出し直後とするのではなく、画像データを出力すべき外部装置の種類あるいは動作モードに応じてタイミングを調整する。これにより、外部装置の異常等により画像データのページメモリからの再読み出しが必要となる事態にも対応できる。また、クリアデータを書き込むことによりページメモリの内容をクリアする際に、一律なクリアデータとするのではなく、外部装置の種類あるいは動作モードに応じたクリアデータを書き込むことにより、無駄なメモリクリアを排除できる。なお、本発明では画像データの読み出し後にクリアデータを書き込むことでページメモリをクリアするため、外部装置の種類に応じたクリアデータは、次回に画像データが出力されるであろうと推定されるところの外部装置の種類となる。この推定精度を高くすることで、クリアデータは適切なものとなり、新たな画像データをページメモリに記憶する際のメモリクリア処理が省略されることとなる。推定精度は、過去の外部装置の種類に関する統計値を用いることで向上され得る。
【発明の効果】
【００１５】
本発明によれば、多様な外部装置に適応しつつ、メモリクリア処理を不要化して画像処理時間を短縮できる。
【発明を実施するための最良の形態】
【００１６】
以下、図面に基づき本発明の実施形態について説明する。
【００１７】
図１には、本実施形態に係る画像処理装置の構成ブロック図が示されている。画像処理装置１０は、ページメモリ１２、画像処理ブロック１４、画像出力ブロック１６、およびページメモリ制御ブロック１８を含んで構成される。
【００１８】
ページメモリ１２は、ドキュメント１ページ分の画像データを記憶する。
【００１９】
ページメモリ制御ブロック１８は、ページメモリ１２に対する画像データの書き込み及び読み出しを制御するとともに、ページメモリ１２のクリアタイミング及びメモリ内容をクリアするためのクリアデータを設定する。すなわち、ページメモリ制御ブロック１８は、ページメモリ書き込み部、ページメモリ読み出し部、画像処理インターフェース、画像出力インターフェースを有し、スキャナ等の画像入力装置から入力された画像データをページメモリ１２に書き込み、ページメモリインターフェース、ページメモリ読み出し部及び画像処理インターフェースを介して画像データを画像処理ブロックに供給する。画像処理ブロックでは、拡大、縮小、エッジ強調等の各種フィルタリング処理やスキュー補正処理を実行して画像データを加工する。加工処理された画像データは、画像処理インターフェース、ページメモリ書き込み部及びページメモリインターフェースを介して再びページメモリに書き込まれ記憶される。もちろん、画像処理ブロックで特定の加工処理を行わなくてもよい。ページメモリ１２に格納された加工処理済み、あるいは未加工の画像データは、ページメモリインターフェース、ページメモリ読み出し部及び画像出力インターフェースを介して画像出力ブロック１６に供給される。画像出力ブロック１６は、外部装置２０に接続され、供給された画像データを外部装置２０に出力する。外部装置２０は、例えばプリンタやコンピュータ、複合機等であり、所定のフォーマットで画像データを出力する。すなわち、プリンタの場合には画像データを紙面に印刷して出力し、コンピュータの場合にはディスプレイ上に画像データを表示する。画像処理装置１０と外部装置２０とは直接接続されていてもよく、ネットワークを介して接続されていてもよい。典型的な接続例は、ネットワークに画像サーバ、クライアント端末、複合機、プリンタが接続されており、画像サーバ内に画像処理装置１０が組み込まれる態様であろう。
【００２０】
画像出力ブロック１６は、上記のようにページメモリ１２からの画像データを外部装置２０に出力するが、さらにページメモリ１２からの画像データを受信したタイミング、あるいは当該画像データを外部装置２０に出力したタイミングのいずれかにおいて、ページメモリクリア起動部に読み出し完了信号を出力する。この読み出し完了信号は、ページメモリ１２からの画像データの読み出しが完了したことを示す信号である。この信号は、メモリクリアのタイミング制御に用いられる。
【００２１】
ページメモリクリア部は、ページメモリインターフェースを介してクリアデータをページメモリ１２に書き込むことでページメモリ１２の内容をクリアする。ページメモリクリア部によるクリアのタイミング、すなわちクリアデータの書き込みタイミングは、ページメモリクリア起動部により制御される。
【００２２】
ページメモリクリア起動部は、基本的にはページメモリ１２から画像データを読み出した後にページメモリ１２をクリアすべくページメモリクリア部を起動するが、当該ページメモリクリアのタイミングは動作モードに応じて、より特定的には画像データを出力すべき外部装置２０の種類に応じて設定される。ページメモリクリア起動部には、上記したように画像出力ブロック１６から画像データの読み出し完了を示す読み出し完了信号が供給される。また、外部装置２０からは外部装置２０による処理が終了した旨の外部終了信号が供給される。
【００２３】
外部装置２０がプリンタあるいはプリンタ機能を有する複合機の場合、この外部終了信号は印刷完了の信号である。ページメモリクリア起動部は、これらの信号に基づき、画像データを読み出した後のどのタイミングでページメモリをクリアするか、具体的にはページメモリ１２から画像データを読み出した直後にクリアするか、あるいはページメモリ１２から画像データを読み出した後であってさらに外部装置２０の処理が終了した時点でクリアするかのいずれかのタイミングに設定する。このようにページメモリ１２のクリアタイミングを可変設定するのは、画像データを出力すべき外部装置２０の種類に応じてページメモリ１２をクリアすべき最適タイミングが異なると考えられるためである。すなわち、出力すべき外部装置２０がコンピュータのディスプレイである場合、画像データを読み出した後において直ちにページメモリ１２をクリアしても問題は生じないが、その一方で出力すべき外部装置２０がプリンタあるいは複合機である場合、プリント処理中における何らかの異常（紙詰まりやトナー不足等）により印刷処理が完了せず、ページメモリ１２から再度画像データを読み出して印刷ジョブを再実行する必要が生じる場合があるところ、ページメモリ１２から画像データを読み出した直後にページメモリ１２をクリアしたのではこのような画像データの再出力が不可能となるためである。
【００２４】
また、ページメモリクリア部は、ページメモリ１２にクリアデータを書き込んでページメモリ１２の内容をクリアするに際し、当該クリアデータの値を動作モード、すなわち出力すべき外部装置２０の種類に応じて設定する。上記したように出力すべき外部装置２０がプリンタである場合、その色データは例えばシアン（Ｃ）、マゼンダ（Ｍ）、イエロー（Ｙ）、ブラック（Ｋ）等であるのに対し、出力すべき外部装置２０がコンピュータなどである場合、その色データはＲ、Ｇ、ＢあるいはＹ、Ｃｒ、Ｃｂ等これに類するデータとなる。そこで、ページメモリクリア部は、外部装置２０の種類を判定し、外部装置２０の種類に応じたクリアデータでページメモリ１２の内容をクリアする。すなわち、ページメモリクリア部は、予め動作モード毎、つまり、出力すべき外部装置２０の種類毎にクリアデータを記憶しておき、出力すべき外部装置２０の種類に合致したクリアデータを選択してページメモリ１２に書き込む。
【００２５】
図２には、図１におけるページメモリクリア部２２およびページメモリクリア起動部２４の構成ブロック図が示されている。ページメモリクリア起動部２４は、外部装置２０の種類毎の複数のクリアデータを記憶する記憶部、複数のクリアデータのうち１つのクリアデータを選択するセレクタ２４ａ、外部装置２０あるいは画像出力ブロック１８からの信号、すなわち外部終了信号と読み出し完了信号のうちのいずれかを選択するセレクタ２４ｂ、セレクタ２４ｂからの信号に基づきクリアタイミング信号を生成する生成部、及びセレクタ２４ａとセレクタ２４ｂに動作モード信号を供給する動作モード統計部２４ｃを有する。
【００２６】
動作モード統計部２４ｃは、過去の動作モードの頻度に基づいて次回の動作モードを推定するもので、過去の動作モードを記憶するメモリを備える。今回の動作モードの推定は、例えば動作モードをプリンタ系とディスプレイ表示系とに分類し（外部装置２０の種類をプリンタとコンピュータに分類し）、それぞれの回数を計数し、多い方を次回の動作モードと推定する。ここに、「次回の動作モードを推定する」とは、ページメモリ１２のクリアは、上記したように基本的に画像データを読み出した後に行われるものであり、言い換えれば次回の画像データ読み込みに備えたページメモリ１２のクリアに相当することに鑑みたものである。画像処理装置１０が外部装置２０としてのプリンタにのみ接続されている場合、次回もプリンタに出力されると推定される。画像処理装置１０がネットワークに接続され、プリンタあるいはコンピュータのいずれにも画像データが出力される可能性がある場合、次回も頻度の高い出力先が選択されるものとして次回の動作モードを推定する。
【００２７】
今回の動作モードで引き続き次回も画像データが出力されるとの仮定の下、今回の動作モードをそのまま次回の動作モードと推定するアルゴリズムも可能であり、これにより動作モード統計部２４ｃの構成が簡易化される。他の推定例は、過去の動作モードを時間あるいは画像処理装置１０の設置場所とともに記憶し、これらの統計値に基づいて推定するものである。ある時間帯（例えば午前中）におけるプリンタとコンピュータの頻度をカウントし、当該時間帯において明らかにコンピュータの頻度が高い場合には、当該時間帯の間は次回の動作モードをコンピュータと推定する。
【００２８】
なお、動作モード統計部２４ｃは、必ずしも過去の動作モードの頻度に応じて次回の動作モードを推定する必要はなく、何らかの条件に基づいて次回の動作モードを合理的な確からしさをもって推定すればよい。この意味で、動作モード統計部２４ｃは、動作モード推定部として機能するということもできる。画像処理装置１０が接続されるネットワークに接続されている端末として高機能プリンタが接続されている場合、当該プリンタが選択される可能性が高いとして次回の動作モードをプリンタと推定する場合等が挙げられる。
後に述べるように、動作モード統計部２４ｃにおける推定の精度がメモリクリア時間の低減の度合いに影響を及ぼす。
【００２９】
また、動作モード統計部２４ｃは、上記のように次回の動作モードを推定する他、今回の動作モードをセレクタ２４ｂにも出力する。今回の動作モード（推定ではなく実際に画像データが出力された外部装置２０の種類）をセレクタ２４ｂに出力するのは、今回の動作モードに応じたタイミングでページメモリ１２をクリアするためである。
【００３０】
まず、クリアデータの設定方法について説明する。
【００３１】
ページメモリクリア起動部２４の記憶部には、複数種類（図ではクリアデータＡ、クリアデータＢ、クリアデータＣの３種類）のクリアデータが予め記憶される。クリアデータＡは例えばプリンタ用の白データであり、クリアデータＢはディスプレイ用の黒データである。これらのクリアデータは、記憶部から読み出されてセレクタ２４ａに供給される。一方、動作モード統計部２４ｃからは次回の推定動作モード、具体的には次回の外部装置２０の種類が推定され、その推定結果がセレクタ２４ａに供給される。セレクタ２４ａは、推定結果に合致するクリアデータを選択してページメモリクリア部２２に出力する。すなわち、クリアデータＡがプリンタ用であり、クリアデータＢがコンピュータ用である場合、推定結果がプリンタであればクリアデータＡを選択して出力し、推定結果がコンピュータであればクリアデータＢを選択して出力する。ページメモリクリア部２２は、セレクタ２４ａからのクリアデータを保持部にて保持する。
【００３２】
次に、クリアタイミングの設定方法について説明する。
【００３３】
ページメモリクリア起動部２４のセレクタ２４ｂには、外部装置２０からの外部終了信号及び／または読み出し完了信号が供給される。また、動作モード統計部２４ｃからは今回の動作モード（次回の推定動作モードではない）が供給される。セレクタ２４ｂは、読み出し完了信号と外部終了信号のうち、今回の動作モードに合致する信号を選択して出力する。すなわち、今回の動作モードがプリンタである場合には外部終了信号を選択して出力し、今回の動作モードがコンピュータである場合には読み出し完了信号を選択して出力する。なお、タイミングとしてはまず最初に読み出し完了信号がセレクタ２４ｂに供給され、その後に外部終了信号がセレクタ２４ｂに供給されることとなるため、動作モードがコンピュータである場合にはセレクタ２４ｂは読み出し完了信号が供給された時点で直ちに当該信号を出力し、動作モードがプリンタである場合にはセレクタ２４ｂは読み出し完了信号が供給されても信号を出力せず、外部終了信号が供給された時点で当該信号を出力することになる。クリアタイミング生成部は、セレクタ２４ｂからの信号に基づいてタイミング信号を生成してページメモリクリア部２２の保持部に供給する。保持部に保持されたクリアデータは、このタイミング信号の入力をトリガとしてページメモリ１２に書き込まれ、ページメモリ１２がクリアされる。
【００３４】
このように、本実施形態の画像処理装置１０では、クリアタイミングは現在の動作モード（外部装置２０の種類）に応じて設定され、クリアデータは次回の推定動作モードに応じて設定される。
【００３５】
図３には、本実施形態の処理フローチャートが示されている。ページメモリ１２に記憶された画像データを外部装置２０に出力するジョブが発生した場合、ページメモリクリア起動部２４は、現在設定されているクリアデータ、すなわち前回画像データを読み出した後においてページメモリ１２をクリアするために用いたクリアデータが現在の動作モードと一致するか否かを判定する（Ｓ１０１）。この判定は、動作モード統計部２４ｃで行ってもよく、画像処理装置１０のプロセッサが行ってもよい。今回の動作モードが前回設定したクリアデータと一致する場合には、すでに前回の画像データ読み出し後において当該クリアデータによるページメモリ１２のメモリ内容クリアは完了しているため、ページメモリ１２のクリア処理を省略する。クリアデータは、上記したように次回の推定動作モードに応じて設定されるため、この推定精度が高いほど、Ｓ１０１にて一致すると判定される確率が高くなり、クリア処理が省略される確率が高くなる。クリア処理を省略する場合、ページメモリ１２をクリアすることなく、必要な画像処理を行ってページメモリ１２に画像データを書き込み（Ｓ１０３）、当該画像データをページメモリ１２から読み出して外部装置２０に出力する（Ｓ１０４）。その後、今回の動作モードに応じたタイミングで次回の推定動作モードに応じたクリアデータを用いてページメモリ１２をクリアする（Ｓ１０５）。
【００３６】
一方、Ｓ１０１にて今回の動作モードが前回のクリアデータと一致しないと判定された場合、例えばクリアデータがプリンタ用の場合であって、今回の動作モードがコンピュータへの出力である場合、ページメモリ１２は今回の動作モードに応じたクリアとなっていないため、改めて今回の動作モードに合致したクリアデータを設定し、ページメモリ１２をクリアする（Ｓ１０２）。すなわち、セレクタ２４ａは今回の動作モードに応じたクリアデータを選択してページメモリクリア部２２に出力し、ページメモリクリア部２２は、供給されたクリアデータを保持部に保持するとともに、画像処理装置１０のＣＰＵからのタイミング信号をトリガとして保持したクリアデータをページメモリ１２に書き込んでメモリ内容を再度クリアする。以後はページメモリ１２を再度クリアしない場合と同様であり、画像処理した後に処理済みの画像データをページメモリ１２に記憶し、その後ページメモリ１２から画像データを読み出して外部装置２０に出力する。画像データを読み出した後、今回の動作モードに応じたタイミングで次回の推定動作モードに応じたクリアデータによりページメモリ１２をクリアする。
【００３７】
図４には、外部装置２０としてプリンタ（あるいはマーキングユニット）が接続されている場合のシステム構成が示されている。なお、画像処理装置１０が画像サーバ１内に組み込まれ、スキャナ等の画像入力ブロック１３を備えるものとして示されている。ぺージメモリ１２には色データとしてプリンタ用のＣ，Ｍ，Ｙ，Ｋが記憶される。ページメモリ１２が予め（すなわち前回の画像データ読み出し後において）プリンタの余白部分に相当する白データでクリアされている場合、ページメモリ１２のクリア処理が不要となり、短時間に画像データの入出力処理を行うことができる。
【００３８】
一方、図５には、外部装置２０としてコンピュータが接続されている場合のシステム構成が示されている。ページメモリ１２には色データとしてＬ，ａ，ｂが記憶される。ページメモリ１２が予め（すなわち前回の画像データ読み出し後において）ディスプレイの背景部分に相当する黒データでクリアされている場合、ページメモリ１２のクリア処理が不要となり、短時間に画像データの入出力処理を行うことができる。
【００３９】
このように、本実施形態においてはページメモリ１２をクリアするタイミングを画像データ読み出し後に設定するだけでなく、そのクリアタイミングを画像データを出力すべき外部装置２０の種類に応じて設定するため、外部装置２０における出力異常にも迅速に対応することが可能である。さらに、本実施形態においては外部装置２０の種類に応じたクリアデータを設定し（次回の外部装置２０の種類を推定して設定し）、当該クリアデータによりページメモリ１２をクリアするため、多様な外部装置２０に対応してページメモリ１２のクリア処理を低減し、全体として画像処理時間を短縮できる。
【００４０】
以上、本発明の実施形態について説明したが、本発明はこれに限定されるものではなく、種々の変更、特に次回の動作モードの推定については種々のアルゴリズムを採用することが可能である。例えば、次回の動作モードは今回の動作モードと同一であるとの仮定の下に次回の動作モードを推定し、図３のＳ１０１の判定処理において一致しないと判定される回数が所定値に達した場合に過去の統計値に基づき頻度の高い方を次回の動作モードと推定する等のアルゴリズムも可能であろう。次回の推定動作モードをユーザが設定する構成としてもよい。すなわち、ユーザが画像処理装置１０の設置された環境あるいは画像処理装置１０を使用し得るユーザの属性を考慮し、プリンタ用あるいはコンピュータ用のクリアデータのうち使用頻度が高いと思われる方のクリアデータを設定することも可能である。
【図面の簡単な説明】
【００４１】
【図１】実施形態の構成ブロック図である。
【図２】図１におけるページメモリクリア部およびページメモリクリア起動部の構成ブロック図である。
【図３】実施形態の処理フローチャートである。
【図４】外部装置がプリンタの場合のクリアデータ設定説明図である。
【図５】外部装置がコンピュータの場合のクリアデータ設定説明図である。
【符号の説明】
【００４２】
１０  画像処理装置、１２  ページメモリ、１４  画像処理ブロック、１６  画像出力ブロック、１８  ページメモリ制御ブロック。
【図１】
2005303463.tif 000003
【図２】
2005303463.tif 000004
【図３】
2005303463.tif 000005
【図４】
2005303463.tif 000006
【図５】
2005303463.tif 000007